(57)【要約】【課題】中の商品が邪魔になることなく、展示状態に組み立てることができるようにした包装展示兼用カートンを提供する。【解決手段】前板１、一対の側板２及び後板３により周壁が形成され、その両側板２に切目線１２が設けられ、切目線の切断に伴いカートン上部を除去して商品を展示するようにした包装展示兼用カートンであって、カートン下部側の両側板２における上部にそれぞれ複数の傾斜用罫線ａ〜ｆによる傾斜片１５が設けられており、複数の傾斜用罫線は内側に曲げた際の折くせによって傾斜片１５の傾斜状態を維持するようになっている。【選択図】図１
2009234588.tif 000002
【特許請求の範囲】
【請求項１】
前板、一対の側板及び後板により周壁が形成され、その両側板に切目線が設けられ、切目線の切断に伴いカートン上部を除去して商品を展示するようにした包装展示兼用カートンであって、カートン下部側の両側板における上部にそれぞれ複数の傾斜用罫線による傾斜片が設けられており、複数の傾斜用罫線は内側に曲げた際の折くせによって傾斜片の傾斜状態を維持するようになっていることを特徴とする包装展示兼用カートン。
【発明の詳細な説明】
【技術分野】
【０００１】
本発明は、板紙で作成されるカートンの技術分野に属し、詳しくは、商品を保管・搬送するために用いられ、開封後は中の商品を展示するために用いられる包装展示兼用カートンに関する。
【背景技術】
【０００２】
一般に、個包装された複数の商品を収納する板紙製のカートンは、スーパーやコンビニエンスストアなどの店頭まで商品の運搬に使用されるが、商品が取り出されて棚に並べられた後はそのままゴミとして捨てられている。一方、開封後に商品をカートンに入れたままで陳列して展示するタイプの包装展示兼用カートンも利用されている。
【０００３】
このような包装展示兼用カートンとして、スティック包装や薄物パウチなどの偏平細長状の商品を複数立てて陳列するタイプとして特許文献１に記載のものがある。これは、前板、一対の側板及び後板により周壁が形成され、その両側板に切目線が設けられ、切目線の切断に伴いカートン上部を除去して商品を展示するようにしたカートンにおいて、両側板に折目線を基端とする折込片を設けた構成としたものである。そして、商品の展示状態でこの折込片を内側に折り込むことで、折込片が反発して商品を押圧するようにし、それによって商品が少なくなったときに倒れるのを防止するようにしている。さらに、切目線を蛇行させることで、折込片の先端縁を波形状とし、その波形状のところに引っ掛かることで商品の転倒をより確実に防止している。
【０００４】
【特許文献１】特開２００１−３５４２３７号公報
【発明の開示】
【発明が解決しようとする課題】
【０００５】
上記した包装展示兼用カートンは、周壁の上部を除去した部位に折込片を設けたことにより、その折込片の押圧によって商品の転倒が防止されるので、整然とした展示ができるという利点がある。しかしながら、商品を両サイドの折込片で保持するためには、これらの折込片をそれぞれ９０度以上内側に無理矢理折り込む必要があることから、中の商品が邪魔になって組み立てにくいという問題がある。したがって、収納する商品の幅よりも広いスペースを取らなければならず、空間率の高いカートンにならざるを得ない欠点を持っている。商品を一旦取り出して折込片を内側に折り曲げることも考えられるが、取り出した商品をまた入れなければならず、店頭ではとても面倒なことで実際的ではない。
【０００６】
本発明は、このような問題点に鑑みてなされたものであり、その目的とするところは、中の商品が邪魔になることなく、展示状態に組み立てることができるようにした包装展示兼用カートンを提供することにある。
【課題を解決するための手段】
【０００７】
上記の目的を達成するため、本発明は、前板、一対の側板及び後板により周壁が形成され、その両側板に切目線が設けられ、切目線の切断に伴いカートン上部を除去して商品を展示するようにした包装展示兼用カートンであって、カートン下部側の両側板における上部にそれぞれ複数の傾斜用罫線による傾斜片が設けられており、複数の傾斜用罫線は内側に曲げた際の折くせによって傾斜片の傾斜状態を維持するようになっていることを特徴としている。
【発明の効果】
【０００８】
本発明の包装展示兼用カートンは、カートン上部を除去した後、傾斜片を内側に曲げるように傾けると、傾斜片は複数の傾斜用罫線に生じる折くせによって内側に傾いた傾斜状態が維持され、商品は傾いた傾斜片により左右から挟まれて保持されるので、開封して傾斜片を内側に傾けて折くせを付けるだけでよく、中に商品が入ったままでも邪魔になることなく展示状態に組み立てることができる。したがって、空間率の高いカートンにする必要がなく、カートンブランクも小さくて済む。
【発明を実施するための最良の形態】
【０００９】
次に、本発明の実施の形態について図面を参照しながら詳細に説明する。
【００１０】
図１は本発明に係る包装展示兼用カートンの一例を示す斜視図、図２は図１に示す包装展示兼用カートンを組み立てるブランクの展開図である。
【００１１】
図２のブランクは、板紙を打ち抜いて形成されたもので、図示のように、前板１、側板２、後板３、側板２、糊代片４がこの順で横方向に連設されている。また、前板１と後板３の下辺にはそれぞれ底片５が、両側板２の下辺にはそれぞれ底板６が連設され、前板１と後板３の上辺にはそれぞれ折込板７が、一方の側板２の上辺には蓋板８が連設されており、蓋板８の先端には差込片９が連設されている。
【００１２】
このブランクには、後板３を横断するとともに両方の側板２に繋がり、各側板２では前下がりに伸びる帯状のジッパー１０が設けられている。側板２でのジッパー１０は、破断方向後側が内向きに曲がった形状の切込が連続した上下の切目線１１，１２で構成されており、後板３でのジッパー１０は、Ｔ字が向き合った形状の摘み用切込１３を中央に有しており、この切込１３を取っ掛かりとしてジッパー１０の破断除去を開始することができるようになっている。また、前板１と糊代片４にはジッパー１０下側の切目線１２に繋がる切目線１４が横断状態で設けられている。
【００１３】
側板２には、ジッパー１０下側の切目線１２に隣接して、複数の傾斜用罫線ａ〜ｆによる傾斜片１５が設けられている。この傾斜片１５は、切目線１２の中央部と傾斜用罫線ａ，ｂ，ｃとで囲まれる矩形状の傾斜中央部１５ａと、切目線１２の上部と傾斜用罫線ｂ，ｄとで囲まれる三角状の傾斜上側部１５ｂと、切目線１２の下部と傾斜用罫線ｃ，ｅとで囲まれる三角状の傾斜下側部１５ｃと、後板３の境界線と傾斜用罫線ｄ，ｆとで囲まれる三角状の傾斜補助部１５ｄとからなる。
【００１４】
図２のブランクを組み立てて図１に示す包装展示兼用カートンを形成するが、その手順は通常のカートンと同様である。まず、底板６の折返し部６ａをそれぞれ底片５に貼り合わせるとともに、糊代片４を前板１に貼り合わせたサック貼り状態で折り畳む。そして、この折り畳んだブランクを起こすと、底板６の部分がオートロックされてカートンの底部が形成される。このように起函してから、個包装された複数個の商品を中に入れ、折込板７を折り込んでから、差込み片９をもう一方の側板２の内側面に差し込んで蓋板８を閉じることで組立を完了する。
【００１５】
図１の包装展示兼用カートンは、店頭等において開封してカートン上部を除去し、図３に示すように、中の商品Ｓが見える状態にして展示する。ここでは、６個の商品Ｓのうち後方の２個を図示している。このカートンの開封に際しては、ジッパー１０を破断除去する。具体的には、後板３におけるＴ字が向き合った形状の切込１３のところを取っ掛かりとして破断を始め、そのまま側板２における上下の切目線１１，１２を破断し、最後は前板１と糊代片４の切目線１４を破断することで、ジッパー１０とともにカートン上部を除去する。
【００１６】
このようにカートン上部を除去すると、切目線１２から上部が除去されることにより、カートンは図４に示すように、残ったカートン下部に先端縁がジッパー１０の破断でギザギザとなった傾斜片１５が露出する。そして、図５に示すように、傾斜片１５を内側に曲げるように傾けると、傾斜用罫線ａ〜ｆに折くせが付き、その折くせによって傾斜片１５は内側に傾いた傾斜状態が維持される。
【００１７】
この包装展示兼用カートンでは、ジッパー１０下側の切目線１２はその両端部で下向きに傾斜させており、傾斜片１５は、傾斜中央部１５ａの両端に三角状の傾斜上側部１５ｂと傾斜下側部１５ｃがあり、しかも傾斜上側部１５ｂに隣接して傾斜保持部１５ｄを設けた形状であるので、罫線ａ，ｄ，ｅのところで折くせが付くように傾斜片１５を内側に曲げることになり、その結果、傾斜片１５の先端縁が突き出るようにして内側に傾斜した状態となり、その傾斜状態が維持される。
【００１８】
そして、商品Ｓは傾いた内側に傾いた傾斜片により左右から挟まれて保持される。この折曲げ操作に際しては、傾斜片１５は内側に傾斜させるだけで反転するほどは曲がらないので、中に商品が入ったままでもそれほど邪魔になることはない。なお、このカートンでは、ジッパー１０の破断で生じたギザギザも商品の保持に寄与する。
【００１９】
以上、本発明の実施の形態について詳細に説明してきたが、本発明による包装展示兼用カートンは、上記実施の形態に何ら限定されるものではなく、本発明の趣旨を逸脱しない範囲において種々の変更が可能であることは当然のことである。
【００２０】
例えば、上記の例では、カートンの開封手段をジッパーとしたが、要はカートンの上部と下部が分離されて、残ったカートン下部に傾斜片１５が露出しさえすれば、どのような開封手段でも構わない。
【００２１】
また、傾斜用罫線は、内側に曲げた傾斜片の傾斜状態を維持できれば、上記パターンに限らず任意のパターンで形成してよいものである。
【００２２】
また、上記の例では、傾斜片はジッパーとともに後板から前板にかけて前下がりとしたが、これらは水平もしくはそれに近い傾斜にしても構わない。要望に応じて適宜決めればよいことである。
【図面の簡単な説明】
【００２３】
【図１】本発明に係る包装展示兼用カートンの一例を示す斜視図である。
【図２】図１に示す包装展示兼用カートンを組み立てるブランクの展開図である。
【図３】図１に示す包装展示兼用カートンを展示状態で示す斜視図である。
【図４】図１に示す包装展示兼用カートンのカートン上部を除去した箱下部を示す斜視図である。
【図５】図４に示すカートン下部の傾斜片を内側に傾けた状態を示す斜視図である。
【符号の説明】
【００２４】
１  前板
２  側板
３  後板
４  糊代片
５  底片
６  底板
７  折込板
８  蓋板
９  差込板
１０  ジッパー
１１，１２  切目線
１３  切込
１４  切目線
１５  傾斜片
ａ〜ｆ  傾斜用罫線
【図１】
2009234588.tif 000003
【図２】
2009234588.tif 000004
【図３】
2009234588.tif 000005
【図４】
2009234588.tif 000006
【図５】
2009234588.tif 000007